(57)【要約】      （修正有）【課題】ユーザにとって分かりやすいボリューム表示を行うことが可能な表示装置を提供する。【解決手段】表示装置は、表示部と、内蔵スピーカと、外部接続された音声出力装置との相互通信を行う通信部とを有し、前記音声出力装置のボリューム調節時（ステップＳ４のイエス判定時）には、前記音声出力装置のボリューム値と共に、当該ボリューム値が前記音声出力装置のボリューム値である旨を前記表示部で表示し（ステップＳ５）、前記内蔵スピーカのボリューム調節時（ステップＳ６のイエス判定時）には、前記内蔵スピーカのボリューム値と共に、当該ボリューム値が前記内蔵スピーカのボリューム値である旨を前記表示部で表示する（ステップＳ７）。【選択図】図４
2012039429.tif 000002
【特許請求の範囲】
【請求項１】
表示部と、内蔵スピーカと、外部接続された音声出力装置との相互通信を行う通信部とを有する表示装置であって、
前記音声出力装置のボリューム調節時には、前記音声出力装置のボリューム値と共に、当該ボリューム値が前記音声出力装置のボリューム値である旨を前記表示部で表示し、前記内蔵スピーカのボリューム調節時には、前記内蔵スピーカのボリューム値と共に、当該ボリューム値が前記内蔵スピーカのボリューム値である旨を前記表示部で表示することを特徴とする表示装置。
【請求項２】
前記音声出力装置のボリューム調節時には、前記内蔵スピーカのボリューム値がミュートされている旨を前記表示部で表示し、前記内蔵スピーカのボリューム調節時には、前記音声出力装置のボリューム値がミュートされている旨を前記表示部で表示することを特徴とする請求項１に記載の表示装置。
【請求項３】
前記内蔵スピーカのボリューム値がミュートされている旨、及び、前記音声出力装置のボリューム値がミュートされている旨は、いずれもアイコンを用いて表示されることを特徴とする請求項２に記載の表示装置。
【請求項４】
前記通信部は、ＨＤＭＩ規格に準拠した通信を行うことを特徴とする請求項１〜請求項３のいずれかに記載の表示装置。
【請求項５】
デジタル放送信号から選局周波数の放送信号を選局して出力するチューナと、
前記チューナで選局された放送信号を復調してＴＳデータを取り出す復調部と、
前記ＴＳデータから映像ストリームと音声ストリームを抽出するデマルチプレクサと、
前記映像ストリームをデコードしてデジタル映像データを生成する映像デコーダと、
前記デジタル映像データにＯＳＤ映像データを重畳して出力するＯＳＤ処理部と、
前記ＯＳＤ処理部を介して入力されるデジタル映像データに基づいて前記表示部の駆動信号を生成する映像出力部と、
前記音声ストリームをデコードしてデジタル音声データを生成する音声デコーダと、
前記デジタル音声データに基づいて前記内蔵スピーカの駆動信号を生成するアンプと、
前記音声出力装置及び前記内蔵スピーカのボリューム値を前記表示部でＯＳＤ表示するための前記ＯＳＤ映像データを生成する制御部と、
を有することを特徴とする請求項１〜請求項４のいずれかに記載の表示装置。
【発明の詳細な説明】
【技術分野】
【０００１】
本発明は、デジタル機器同士の相互通信機能を備えた表示装置に関するものである。
【背景技術】
【０００２】
近年、デジタル機器同士の相互通信機能（ＨＤＭＩ−ＣＥＣ［High-Definition Multimedia Interface - Consumer Electronics Control］機能など）を利用することにより、例えば、テレビジョン放送受信装置のリモコンを使用して、ホームシアター装置（＝ＡＶプレーヤ＋ＡＶアンプ＋スピーカ）のボリューム調節を行うと共に、そのボリューム値をテレビジョン放送受信装置でＯＳＤ［On Screen Display］表示する、といった運用が可能となっている。
【０００３】
なお、上記に関連する従来技術の一例としては、特許文献１を挙げることができる。
【先行技術文献】
【特許文献】
【０００４】
【特許文献１】特開２００９−１４１７４７号公報
【発明の概要】
【発明が解決しようとする課題】
【０００５】
確かに、デジタル機器同士の相互通信機能を利用すれば、一つのリモコンでテレビジョン放送受信装置とホームシアター装置の双方を個別に操作したり、ホームシアター装置の動作状態をテレビジョン放送受信装置のＯＳＤ表示によって確認したりすることができるので、非常に使い勝手のよいホームシアターシステムを構築することが可能である。
【０００６】
しかしながら、従来のテレビジョン放送受信装置は、内蔵スピーカのボリューム調節を行う場合も、ホームシアター装置のボリューム調節を行う場合も、全く同一の表示形態で各々のボリューム値をＯＳＤ表示する構成とされていた（図５を参照）。そのため、ユーザは、ＯＳＤ表示の内容が内蔵スピーカのボリューム値を示しているのか、ホームシアター装置のボリューム値を示しているのかを判断することができず、意図しないボリューム調節を行ってしまうおそれがあった。
【０００７】
また、ＨＤＭＩ−ＣＥＣ規格では、テレビジョン放送受信装置とホームシアター装置のうち、ボリューム調節対象とされていない方のボリューム値を強制的にミュートしておくように取り決められているが、従来のＯＳＤ表示では、ボリューム調節対象とされている方のボリューム値のみを表示し、ボリューム調節対象とされていない方のボリューム値については、何ら表示を行わない構成とされていた（図５を参照）。そのため、ユーザは、ボリューム調節対象とされていない方のボリューム値が強制的にミュートされていることを認識することができず、音が出ない理由を故障として誤解してしまうおそれがあった。
【０００８】
本発明は、上記の問題点に鑑み、ユーザにとって分かりやすいボリューム表示を行うことが可能な表示装置を提供することを目的とする。
【課題を解決するための手段】
【０００９】
上記目的を達成するために、本発明に係る表示装置は、表示部と、内蔵スピーカと、外部接続された音声出力装置との相互通信を行う通信部とを有する表示装置であって、前記音声出力装置のボリューム調節時には、前記音声出力装置のボリューム値と共に、当該ボリューム値が前記音声出力装置のボリューム値である旨を前記表示部で表示し、前記内蔵スピーカのボリューム調節時には、前記内蔵スピーカのボリューム値と共に、当該ボリューム値が前記内蔵スピーカのボリューム値である旨を前記表示部で表示する構成（第１の構成）とされている。
【００１０】
なお、上記第１の構成から成る表示装置は、前記音声出力装置のボリューム調節時には前記内蔵スピーカのボリューム値がミュートされている旨を前記表示部で表示し、前記内蔵スピーカのボリューム調節時には、前記音声出力装置のボリューム値がミュートされている旨を前記表示部で表示する構成（第２の構成）にするとよい。
【００１１】
また、上記第２の構成から成る表示装置において、前記内蔵スピーカのボリューム値がミュートされている旨、及び、前記音声出力装置のボリューム値がミュートされている旨は、いずれもアイコンを用いて表示される構成（第３の構成）にするとよい。
【００１２】
また、上記第１〜第３いずれかの構成から成る表示装置において、前記通信部は、ＨＤＭＩ規格に準拠した通信を行う構成（第４の構成）にするとよい。
【００１３】
また、上記第１〜第４いずれかの構成から成る表示装置は、デジタル放送信号から選局周波数の放送信号を選局して出力するチューナと、前記チューナで選局された放送信号を復調してＴＳデータを取り出す復調部と、前記ＴＳデータから映像ストリームと音声ストリームを抽出するデマルチプレクサと、前記映像ストリームをデコードしてデジタル映像データを生成する映像デコーダと、前記デジタル映像データにＯＳＤ映像データを重畳して出力するＯＳＤ処理部と、前記ＯＳＤ処理部を介して入力されるデジタル映像データに基づいて前記表示部の駆動信号を生成する映像出力部と、前記音声ストリームをデコードしてデジタル音声データを生成する音声デコーダと、前記デジタル音声データに基づいて前記内蔵スピーカの駆動信号を生成するアンプと、前記音声出力装置及び前記内蔵スピーカのボリューム値を前記表示部でＯＳＤ表示するための前記ＯＳＤ映像データを生成する制御部と、を有する構成（第５の構成）にするとよい。
【発明の効果】
【００１４】
本発明に係る表示装置であれば、内蔵スピーカのボリューム調節を行う場合でも、デジタル機器同士の相互通信機能を利用して外部スピーカのボリューム調節を行う場合でも、ユーザにとって分かりやすいボリューム表示を行うことが可能となる。
【図面の簡単な説明】
【００１５】
【図１】本発明に係るホームシアターシステムの一構成例を示すブロック図
【図２】ボリューム表示の第１例（外部スピーカ調節時）を示す模式図
【図３】ボリューム表示の第２例（内蔵スピーカ調節時）を示す模式図
【図４】ボリューム表示切替動作の一例を示すフローチャート
【図５】ボリューム表示の一従来例を示す模式図
【発明を実施するための形態】
【００１６】
＜システムブロック図＞
図１は、本発明に係るホームシアターシステムの一構成例を示すブロック図である。本構成例のホームシアターシステムは、テレビジョン放送受信装置１００と、ホームシアター装置２００と、を有する。
【００１７】
テレビジョン放送受信装置１００は、アンテナ１０１と、チューナ１０２と、復調ＩＣ１０３と、デマルチプレクサ１０４（以下、ＤＥＭＵＸ１０４と呼ぶ）と、映像デコーダ１０５と、ＯＳＤ処理部１０６と、映像出力部１０７と、液晶パネル１０８と、音声デコーダ１０９と、パワーアンプ１１０と、スピーカ１１１と、制御部１１２と、リモコン信号受信部１１３と、操作部１１４と、ＨＤＭＩ通信部１１５と、リモコン１１６と、を備えている。なお、上記構成要素のうち、アンテナ１０１とリモコン１１６は、テレビジョン放送受信装置１００の外部に設けられる。
【００１８】
アンテナ１０１は、テレビジョン放送受信装置１００に外部接続されており、放送波を電気的な受信信号に変換して出力する。なお、図１では、アンテナ１０１をテレビジョン放送受信装置１００に直接接続した構成が描写されているが、本発明の構成はこれに限定されるものではなく、例えばケーブルテレビを視聴する場合には、アンテナ１０１とテレビジョン放送受信装置１００との間に、ケーブルテレビ設備（増幅装置や配信装置など）が設けられる。
【００１９】
チューナ１０２は、アンテナ１０１で受信されたデジタル放送信号から選局周波数の放送信号を選局し、選局された放送信号を復調ＩＣ１０３に出力する。
【００２０】
復調ＩＣ１０３は、チューナ１０２で選局された放送信号をＯＦＤＭ［Orthogonal Frequency Division Multiplexing］方式で復調し、ビダビ復号等を用いて誤り訂正を行うことにより、ＴＳ［Transport Stream］データを取り出す。
【００２１】
ＤＥＭＵＸ１０４は、ＴＳデータから映像ストリームを抽出して映像デコーダ１０５に出力し、ＴＳデータから音声ストリームを抽出して音声デコーダ１０８に出力する。
【００２２】
映像デコーダ１０５は、ＤＥＭＵＸ１０４から入力される映像ストリームをデコードしてデジタル映像データを生成し、これをＯＳＤ処理部１０６を介して映像出力部１０７に出力する。
【００２３】
ＯＳＤ処理部１０６は、映像デコーダ１０５から入力されるデジタル映像データに、制御部１１２から入力されるＯＳＤ映像データを重畳して出力する。
【００２４】
映像出力部１０７は、ＯＳＤ処理部１０６を介して入力されるデジタル映像データに基づいて、液晶パネル１０８での表示動作に必要な駆動信号を生成し、これを液晶パネル１０８に出力する。
【００２５】
液晶パネル１０８は、映像出力部１０７から入力される駆動信号に基づいて映像を表示する。なお、液晶パネルのほか、プラズマディスプレイパネルや有機ＥＬパネルなど、他の方式のパネルを用いても構わない。
【００２６】
音声デコーダ１０９は、ＤＥＭＵＸ１０４から入力される音声ストリームをデコードしてデジタル音声データを生成し、これをパワーアンプ１１０に出力する。
【００２７】
パワーアンプ１１０は、音声デコーダ１０９から入力されるデジタル音声データに基づいてスピーカ１１１の駆動信号を生成し、これをスピーカ１１１に出力する。
【００２８】
スピーカ１１１は、パワーアンプ１１０から入力される駆動信号を音声に変換して出力する。これにより、スピーカ１１１からテレビジョン放送音声が再生される。
【００２９】
制御部１１２は、例えばマイコンを用いて構成されており、メモリ（不図示）に格納されたファームウェアを実行することによって、テレビジョン放送受信装置１００の各部動作を統括的に制御する。
【００３０】
リモコン信号受信部１１３は、リモコン１１６からユーザのキー操作に応じたリモコン信号を受信し、これをリモコンコードに変換して制御部１１２に出力する。制御部１１２は、リモコン信号受信部１１３から入力されるリモコンコードに応じた各種動作制御（電源オン／オフ、選局チャンネル変更、音量変更、入力切替など）を行う。
【００３１】
操作部１１４は、ユーザの直接操作を受け付けて操作コードを生成し、これを制御部１１２に伝達する。制御部１１２は、操作部１１４から入力される操作コードに応じた各種動作制御（電源オン／オフ、選局チャンネル変更、音量変更、入力切替など）を行う。
【００３２】
ＨＤＭＩ通信部１１５は、ホームシアター装置２００に設けられたＨＤＭＩ通信部２０２との間で、音声信号や制御信号の送受信を行う。
【００３３】
リモコン１１６は、キー操作を受け付けてリモコン信号を生成し、これをリモコン信号受信部１１３に出力する。なお、リモコン信号としては一般的に赤外線信号が用いられるが、本発明の構成はこれに限定されるものではなく、他方式の無線信号（例えば、Bluetooth信号）を用いてもよい。
【００３４】
ホームシアター装置２００は、情報表示部２０１と、ＨＤＭＩ通信部２０２と、制御部２０３と、リモコン信号受信部２０４と、操作部２０５と、音源部２０６と、信号処理部２０７と、パワーアンプ２０８と、スピーカ２０９と、を備えている。なお、上記構成要素のうち、リモコン２１０は、ホームシアター装置２００の外部に設けられる。
【００３５】
情報表示部２０１は、ホームシアター装置２００の動作状態（入力ソース（内部音源／外部音源）、再生中のトラック番号や再生経過時間、ボリューム値、動作モード（通常モード／テストモード）など）を表示する。なお、情報表示部２０１としては、例えば、液晶パネルやＦＬ表示管などを用いることができる。
【００３６】
ＨＤＭＩ通信部２０２は、テレビジョン放送受信装置１００に設けられたＨＤＭＩ通信部１１５との間で、音声信号や制御信号の送受信を行う。
【００３７】
制御部２０３は、例えばマイコンを用いて構成されており、メモリ（不図示）に格納されたファームウェアを実行することによって、ホームシアター装置２００の各部動作を統括的に制御する。
【００３８】
リモコン信号受信部２０４は、リモコン２１０からユーザのキー操作に応じたリモコン信号を受信し、これをリモコンコードに変換して制御部２０３に出力する。制御部２０３は、リモコン信号受信部２０４から入力されるリモコンコードに応じた各種動作制御（電源オン／オフ、音量変更、入力切替、イコライザ調整など）を行う。
【００３９】
操作部２０５は、ユーザの直接操作を受け付けて操作コードを生成し、これを制御部２０３に伝達する。制御部２０３は、操作部２０５から入力される操作コードに応じた各種動作制御（電源オン／オフ、音量変更、入力切替、イコライザ調整など）を行う。
【００４０】
音源部２０６は、各種メディア（ＣＤ［Compact Disc］、ＤＶＤ［Digital Versatile Disc］、ＢＤ［Bluray Disc］、ハードディスクなど）を再生して音声信号を出力する。
【００４１】
信号処理部２０７は、音源部２０６から入力される音声信号、或いは、ＨＤＭＩ通信部２０２を介してテレビジョン放送受信装置１００から入力される音声信号に所定の信号処理を施してデジタル音声データを生成し、これをパワーアンプ２０８に出力する。
【００４２】
パワーアンプ２０８は、信号処理部２０７から入力されるデジタル音声データに基づいてスピーカ２０９の駆動信号を生成し、これをスピーカ２０９に出力する。
【００４３】
スピーカ２０９は、パワーアンプ２０８から入力される駆動信号を音声に変換して出力する。これにより、スピーカ２０９からメディア再生音声やテレビジョン放送音声が出力される。なお、スピーカ２０９としては、２チャンネルのステレオスピーカ（フロント左／右）、５．１チャンネルのサラウンドスピーカ（フロント左／右、リア左／右、センター、及び、サブウーファ）、或いは、７．１チャンネルのサラウンドスピーカ（フロント左／右、サイド左／右、リア左／右、センター、及び、サブウーファ）などを用いることができる。
【００４４】
リモコン２１０は、キー操作を受け付けてリモコン信号を生成し、これをリモコン信号受信部２０４に出力する。なお、リモコン信号としては一般的に赤外線信号が用いられるが、本発明の構成はこれに限定されるものではなく、他方式の無線信号（例えば、Bluetooth信号）を用いてもよい。
【００４５】
＜システムオーディオコントロール機能＞
上記構成から成るホームシアターシステムでは、ＨＤＭＩ−ＣＥＣ規格に準拠したシステムオーディオコントロール機能を利用することにより、例えば、テレビジョン放送受信装置１００のリモコン１１６を使用して、ホームシアター装置２００のスピーカ２０９のボリューム調節を行うと共に、そのボリューム値をテレビジョン放送受信装置１００の液晶パネル１０８でＯＳＤ［On Screen Display］表示する、といった運用が可能である。
【００４６】
具体的に述べると、本構成例のテレビジョン放送受信装置１００は、ホームシアター装置２００のボリューム調節時には、ホームシアター装置２００のボリューム値と共に、当該ボリューム値がホームシアター装置２００のボリューム値である旨を液晶パネル１０８でＯＳＤ表示し（図２の「ＡＭＰ」表示を参照）、内蔵スピーカ１１１のボリューム調節時には、内蔵スピーカ１１１のボリューム値と共に、当該ボリューム値が内蔵スピーカ１１１のボリューム値である旨を液晶パネル１０８でＯＳＤ表示する（図３の「ＴＶ」表示を参照）。
【００４７】
このような構成とすることにより、ユーザは、ＯＳＤ表示の内容が内蔵スピーカ１１１のボリューム値を示しているのか、ホームシアター装置２００のボリューム値を示しているのかを一見して判断することができるので、意図しないボリューム調節を未然に回避することが可能となる。
【００４８】
また、本構成例のテレビジョン放送受信装置１００は、ホームシアター装置２００のボリューム調節時には、内蔵スピーカ１１１のボリューム値がミュートされている旨を液晶パネル１０８でＯＳＤ表示し（図２を参照）、内蔵スピーカ１１１のボリューム調節時には、ホームシアター装置２００のボリューム値がミュートされている旨を液晶パネル１０８でＯＳＤ表示する（図３を参照）。
【００４９】
このような構成とすることにより、ユーザは、ボリューム調節対象とされていない方のボリューム値が強制的にミュートされていることを一見して認識することができるので、音が出ない理由を故障として誤解してしまうおそれがなくなる。
【００５０】
特に、内蔵スピーカ１１１のボリューム値がミュートされている旨、及び、ホームシアター装置２００のボリューム値がミュートされている旨は、いずれもアイコンを用いて表示するとよい（図２及び図３を参照）。このような構成とすることにより、限られた液晶パネル１０８の表示領域を有効に利用することが可能となる。
【００５１】
＜ボリューム表示切替動作＞
図４は、ボリューム表示切替動作の一例を示すフローチャートである。テレビジョン放送受信装置１００に電源が投入されると、まず、ステップＳ１において、ＨＤＭＩリンク機能（デジタル機器同士の相互通信機能）が有効とされているか否かの判定が行われる。ここで、イエス判定が下された場合にはフローがステップＳ２に進められ、ノー判定が下された場合にはフローがステップＳ６に進められる。
【００５２】
ステップＳ１にてイエス判定が下された場合、ステップＳ２では、テレビジョン放送受信装置１００からホームシアター装置２００に対して、Ｓｙｓｔｅｍ  Ａｕｄｉｏ  Ｒｅｑｕｅｓｔコマンドが通知される。このコマンドは、テレビジョン放送受信装置１００のリモコン１１６を用いてホームシアター装置２００のボリューム調節を行い得る状態となっているか否かをホームシアター装置２００に問い合わせるためのコマンドである。
【００５３】
ステップＳ２にて、テレビジョン放送受信装置１００からホームシアター装置２００に対して、Ｓｙｓｔｅｍ  Ａｕｄｉｏ  Ｒｅｑｕｅｓｔコマンドが通知された後、ステップＳ３では、Ｓｅｔ  Ｓｙｓｔｅｍ  Ａｕｄｉｏ  Ｍｏｄｅ  Ｓｔａｔｕｓコマンドがオンとなっているか否かの判定が行われる。このコマンドは、テレビジョン放送受信装置１００のリモコン１１６を用いてホームシアター装置２００のボリューム調節を行い得る状態となっていることをテレビジョン放送受信装置１００に通知するためのコマンドである。ここで、イエス判定が下された場合にはフローがステップＳ４に進められ、ノー判定が下された場合にはフローがステップＳ６に進められる。
【００５４】
ステップＳ３にてイエス判定が下された場合、ステップＳ４では、ボリューム調節操作（ここでのボリューム調節操作は、ホームシアター装置２００のボリューム調節操作に相当する）が受け付けられたか否かの判定が行われる。ここで、イエス判定が下された場合にはフローがステップＳ５に進められ、ノー判定が下された場合にはフローがステップＳ４に戻されて、ボリューム調節操作の受付判定が継続される。
【００５５】
ステップＳ４にてイエス判定が下された場合、ステップＳ５では、ホームシアター装置２００のボリューム値と共に、当該ボリューム値がホームシアター装置２００のボリューム値である旨が液晶パネル１０８でＯＳＤ表示された後（図２を参照）、フローが再びステップＳ４に戻される。
【００５６】
一方、ステップＳ１やステップＳ３にてノー判定が下された場合、ステップＳ６では、ボリューム調節操作（ここでのボリューム調節操作は、内蔵スピーカ１１１のボリューム調節操作に相当する）が受け付けられたか否かの判定が行われる。ここで、イエス判定が下された場合にはフローがステップＳ７に進められ、ノー判定が下された場合にはフローがステップＳ６に戻されて、ボリューム調節操作の受付判定が継続される。
【００５７】
ステップＳ６にてイエス判定が下された場合、ステップＳ７では、内蔵スピーカ１１１のボリューム値と共に、当該ボリューム値が内蔵スピーカ１１１のボリューム値である旨が液晶パネル１０８でＯＳＤ表示された後（図３を参照）、フローが再びステップＳ６に戻される。
【００５８】
なお、図４のフローチャートでは、一旦ステップＳ４またはＳ６に至ると、以後は無限ループとなるかのように描写されているが、これは説明を簡単とするためであり、その他の操作が受け付けられた場合は、当該操作に対応したサブルーチンへの移行が行われる。また、ＨＤＭＩリンク機能の有効／無効が切り替えられたり、Ｓｅｔ  Ｓｙｓｔｅｍ  Ａｕｄｉｏ  Ｍｏｄｅ Ｓｔａｔｕｓの状態が変更された場合には、図４のフローチャートがステップＳ１からやり直される。
【００５９】
＜その他の変形例＞
本発明の構成は、上記実施形態のほか、発明の主旨を逸脱しない範囲で種々の変更を加えることが可能である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００６０】
本発明は、例えば、ホームシアターシステムに含まれるテレビジョン放送受信装置に利用することが可能な技術である。
【符号の説明】
【００６１】
１００    テレビジョン放送受信装置
１０１    アンテナ
１０２    チューナ
１０３    復調ＩＣ
１０４    デマルチプレクサ（ＤＥＭＵＸ）
１０５    映像デコーダ
１０６    ＯＳＤ処理部
１０７    映像出力部
１０８    液晶パネル
１０９    音声デコーダ
１１０    パワーアンプ
１１１    スピーカ
１１２    制御部
１１３    リモコン信号受信部
１１４    操作部
１１５    ＨＤＭＩ通信部
１１６    リモコン
２００    ホームシアター装置（音声出力装置）
２０１    情報表示部
２０２    ＨＤＭＩ通信部
２０３    制御部
２０４    リモコン信号受信部
２０５    操作部
２０６    音源部
２０７    信号処理部
２０８    パワーアンプ
２０９    スピーカ
２１０    リモコン
【図１】
2012039429.tif 000003
【図２】
2012039429.tif 000004
【図３】
2012039429.tif 000005
【図４】
2012039429.tif 000006
【図５】
2012039429.tif 000007